(57)【特許請求の範囲】
【請求項１】
シートが積載される積載面を有するシート積載部と、
導入口から排出口に至る搬送経路を形成しており、作動時には、前記シート積載部に積載されたシートを前記導入口から導入して前記搬送経路に沿って搬送するとともに、当該搬送経路に沿って搬送されたシートを前記排出口から前記シート積載部へと排出する搬送手段と
を備えるシート搬送装置であって、
前記シート積載部は、第一部材及び第二部材を有し、
前記第一部材は、第一の回動位置と第二の回動位置との間で回動する構造とされ、
前記第一部材は、前記第一の回動位置にある場合には、下面側が前記第二部材に対向する状態で前記第二部材の上方に配置されて、前記第二の回動位置にある場合よりも高さが低くなり、当該第一の回動位置において前記シート搬送装置の上側の外装を構成する外装カバーとして機能し、
前記第一部材は、前記第二の回動位置にある場合には、前記第一の回動位置において下面側となっていた面が斜め上方に向けられて傾斜面をなす状態となり、その状態で前記第二部材と隣り合う位置、かつ前記第二部材を挟んで前記導入口及び前記排出口とは反対側となる位置に配置されて、前記第一部材から当該第一部材と前記第二部材との境界部分を経て前記第二部材に至る範囲で前記積載面を構成し、
しかも、前記第一部材及び前記第二部材のうち、一方の部材は、前記積載面が構成された際に前記境界部分側に位置する第一端部に凸部を有し、他方の部材は、前記積載面が構成された際に前記境界部分側に位置する第二端部に凹部を有し、前記第一部材が前記第一の回動位置から前記第二の回動位置へ変位する際に、前記凸部が前記凹部に入り込むように構成され、
前記第一部材が前記第二の回動位置にある場合に、前記第一端部にある前記凸部の先端位置では、前記一方の部材の上面よりも上方となる位置に前記他方の部材の上面があって当該他方の部材の前記上面が前記積載面として利用されており、かつ、前記第二端部にある前記凹部をなす部分の先端位置では、前記他方の部材の上面よりも上方となる位置に前記一方の部材の上面があって当該一方の部材の前記上面が前記積載面として利用される構造とされている
ことを特徴とするシート搬送装置。
【請求項２】
前記一方の部材は、搬送手段による搬送方向と同方向に延びる複数のリブを備え、当該リブの上端で前記積載面を形成するとともに、前記リブを前記他方の部材側に向かって延出することによって前記凸部を形成している
ことを特徴とする請求項１に記載のシート搬送装置。
【請求項３】
前記シート積載部における前記シートの摺動方向及び前記シートの厚さ方向の双方に垂直な方向を幅方向として、前記凸部及び前記凹部は、前記搬送手段によって搬送可能な前記シートの最大幅に相当する範囲内において複数箇所に設けられている
ことを特徴とする請求項１又は請求項２に記載のシート搬送装置。
【請求項４】
前記凹部は、上下方向に貫通する部分を有する形状とされ、前記第一部材が前記第二の回動位置へと回動する際には、前記凸部が前記凹部の下方から前記凹部内へと進入する構造とされている
ことを特徴とする請求項１から請求項３までのいずれか一項に記載のシート搬送装置。
【請求項５】
前記第一部材を前記第二の位置へ回動させた際、前記第一部材は、前記第二部材と当接することにより、前記第二の位置に位置決めされる
ことを特徴とする請求項１から請求項４までのいずれか一項に記載のシート搬送装置。
【請求項６】
シートが積載される積載面を有するシート積載部と、
導入口から排出口に至る搬送経路を形成しており、作動時には、前記シート積載部に積載されたシートを前記導入口から導入して前記搬送経路に沿って搬送するとともに、当該搬送経路に沿って搬送されたシートを前記排出口から前記シート積載部へと排出する搬送手段と、
前記搬送手段によって搬送されるシートの画像を読み取る読取手段と
を備える画像読取装置であって、
前記シート積載部は、第一部材及び第二部材を有し、
前記第一部材は、第一の回動位置と第二の回動位置との間で回動する構造とされ、
前記第一部材は、前記第一の回動位置にある場合には、下面側が前記第二部材に対向する状態で前記第二部材の上方に配置されて、前記第二の回動位置にある場合よりも高さが低くなり、当該第一の回動位置において前記画像読取装置の上側の外装を構成する外装カバーとして機能し、
前記第一部材は、前記第二の回動位置にある場合には、前記第一の回動位置において下面側となっていた面が斜め上方に向けられて傾斜面をなす状態となり、その状態で前記第二部材と隣り合う位置、かつ前記第二部材を挟んで前記導入口及び前記排出口とは反対側となる位置に配置されて、前記第一部材から当該第一部材と前記第二部材との境界部分を経て前記第二部材に至る範囲で前記積載面を構成する状態になり、
しかも、前記第一部材及び前記第二部材のうち、一方の部材は、前記積載面が構成された際に前記境界部分側に位置する第一端部に凸部を有し、他方の部材は、前記積載面が構成された際に前記境界部分側に位置する第二端部に凹部を有し、前記第一部材が前記第一の回動位置から前記第二の回動位置へ変位する際に、前記凸部が前記凹部に入り込むように構成され、
前記第一部材が前記第二の回動位置にある場合に、前記第一端部にある前記凸部の先端位置では、前記一方の部材の上面よりも上方となる位置に前記他方の部材の上面があって当該他方の部材の前記上面が前記積載面として利用されており、かつ、前記第二端部にある前記凹部をなす部分の先端位置では、前記他方の部材の上面よりも上方となる位置に前記一方の部材の上面があって当該一方の部材の前記上面が前記積載面として利用される構造とされている
ことを特徴とする画像読取装置。
【発明の詳細な説明】
【技術分野】
【０００１】
本発明は、所定の搬送経路に沿ってシートを搬送するシート搬送装置と、そのようなシート搬送装置と同等な構成を備えた画像読取装置に関する。
【背景技術】
【０００２】
従来、自動原稿送り装置（Automatic Document Feeder；以下、ＡＤＦと略称する。）を備える画像読取装置において、原稿が載置される給紙トレイを開閉可能な構造としたものが知られている（例えば、特許文献１参照。）。
【０００３】
特許文献１に記載された装置の場合、給紙トレイは回動可能な構造になっており、ＡＤＦを使用しない場合には給紙トレイを閉じることにより、給紙トレイによって給紙口を覆い隠すことができる。
【０００４】
また、給紙口と給紙トレイとの間には、サイド規制ガイドなどが配設された通紙面が形成されており、この通紙面から給紙トレイにわたる範囲が、ＡＤＦによる搬送対象となる原稿を積載するための積載面として利用される。
【先行技術文献】
【特許文献】
【０００５】
【特許文献１】特開２００２−１４５４５７号公報
【発明の概要】
【発明が解決しようとする課題】
【０００６】
ところで、上述した給紙トレイと通紙面をなす部材のような二つの部材を組み合わせて原稿の積載面を形成してある場合、それら二つの部材の境界部分に段差や隙間があると、それら段差や隙間の形状によっては、原稿の先端が引っ掛かりやすくなることがある。
【０００７】
より具体的には、例えば、給紙トレイ側が下段、通紙面側が上段となるような段差が生じていると、給紙トレイに載置した原稿を給紙トレイ及び通紙面沿いに移動させて給紙口へと導入しようとする場合に、原稿の先端が段差に引っ掛かりやすくなる。また、二つの部材間に過大な隙間があっても、原稿の先端が隙間に入り込んで引っ掛かることがある。
【０００８】
ただし、原稿の給紙側においては、二つの部材間に段差があっても、給紙トレイ側が上段、通紙面側が下段となる段差であれば、上段側と下段側との間にある段差面が原稿先端に対向しない方向に向けられるので、原稿先端の引っ掛かりを防ぐことができる。
【０００９】
また、類似の問題は原稿の排出側においても発生する。例えば、排紙口から通紙面に沿って排紙トレイへと原稿が排出される場合、通紙面側が下段、排紙トレイ側が上段となる段差が生じていると、その段差に原稿の先端が引っ掛かりやすくなる。
【００１０】
ただし、原稿の排紙側においては、二つの部材間に段差があっても、通紙面側が上段、排紙トレイ側が下段となる段差であれば、段差面が原稿先端に対向しない方向に向けられるので、原稿先端の引っ掛かりを防ぐことができる。
【００１１】
つまり、上記のような給紙専用のトレイや排紙専用のトレイの場合は、段差面の向きを最適化することによって、二つの部材の境界部分にある段差に原稿の先端が引っ掛かるのを防止することができるのである。
【００１２】
しかし、本件発明者らは、上記のような給紙専用のトレイや排紙専用のトレイに代えて、単一のトレイを給紙トレイ及び排紙トレイとして兼用することを検討しており、この場合、上述のように、原稿の移動方向に応じて段差面の向きを最適化することは困難になる、という問題があった。
【００１３】
より詳しく説明すると、本件発明者らは、単一の給排紙兼用トレイに原稿を積載して、その原稿をＡＤＦで搬送すると、搬送済みの原稿が上述の給排紙兼用トレイへと排出される、といった搬送系の採用を検討している。
【００１４】
しかし、このような給排紙兼用トレイの場合、トレイ側が上段、通紙面側が下段となる段差ができるように設計すると、給紙の際には原稿の先端が段差に引っ掛からないものの、排紙の際には原稿の先端が段差に引っ掛かりやすくなる。
【００１５】
逆に、通紙面側が上段、トレイ側が下段となる段差ができるように設計することもできるが、この場合、排紙の際には原稿の先端が段差に引っ掛からないものの、給紙の際には原稿の先端が段差に引っ掛かりやすくなる。
【００１６】
つまり、給紙のときと排紙のときとでは、二つの部材の境界部分における原稿の進行方向が逆向きになるため、いずれか一方の進行方向について原稿が引っ掛かりにくい段差を設けても、他方の進行方向については原稿が引っ掛かりやすい段差になってしまう。したがって、段差面の向きを最適化するという、従来の給紙トレイや排紙トレイと同様の手法では、原稿の引っ掛かりを解消することはできない、という問題があった。
【００１７】
本発明は、上記問題を解決するためになされたものであり、その目的は、一方の部材から他方の部材に至る範囲を、シートが一方の部材側から他方の部材側へ摺動しても他方の部材側から一方の部材側へ摺動しても、シートの先端が境界部分に引っ掛かるのを防止ないし抑制可能なシート搬送装置と、そのようなシート搬送装置と同等な構成を備えた画像読取装置を提供することにある。
【課題を解決するための手段】
【００１８】
以下、本発明において採用した構成について説明する。
本発明のシート搬送装置は、シートが積載される積載面を有するシート積載部と、導入口から排出口に至る搬送経路を形成しており、作動時には、前記シート積載部に積載されたシートを前記導入口から導入して前記搬送経路に沿って搬送するとともに、当該搬送経路に沿って搬送されたシートを前記排出口から前記シート積載部へと排出する搬送手段とを備え、前記シート積載部は、隣り合う位置に配置される第一部材及び第二部材を有し、前記第二部材を挟んで前記導入口及び前記排出口とは反対側となる位置に前記第一部材が配置されて、前記第一部材から当該第一部材と前記第二部材との境界部分を経て前記第二部材に至る範囲が前記積載面とされており、しかも、前記第一部材及び前記第二部材のうち、少なくとも一方の部材の前記積載面の端部は、他方の部材に向かって突出する凸部を有する形状とされるとともに、前記他方の部材の前記積載面の端部は、前記凸部が入り込む凹部を有する形状とされ、前記凸部の先端位置では、前記一方の部材の上面よりも上方となる位置に前記他方の部材の上面があって当該他方の部材の前記上面が前記積載面として利用されており、かつ、前記凹部をなす部分の先端位置では、前記他方の部材の上面よりも上方となる位置に前記一方の部材の上面があって当該一方の部材の前記上面が前記積載面として利用される構造とされていることを特徴とする。
【００１９】
このように構成されたシート搬送装置において、例えば導入口から導入されるシートを積載面に積載する場合には、第一部材側の積載面から第二部材側の積載面へシートを摺動
させることがある。一方、搬送手段によって搬送されたシートが排出口から排出された場合には、第二部材側の積載面から第一部材側の積載面へシートが摺動することがある。つまり、シートの摺動方向先端部は、第一部材と第二部材との境界部分を第一部材側から第二部材側へ通過することもあれば、第二部材側から第一部材側へ通過することもある。
【００２０】
その点、このシート搬送装置において、第一部材と第二部材との境界部分には、上述のような凸部及び凹部を設けてある。そのため、一方の部材の上面（積載面の一部）に沿って他方の部材側へと摺動するシートの摺動方向先端は、最初は凸部に案内されて、その案内位置よりも下方にある凹部をなす部分の先端を越える位置に到達し、その後、凸部と凹部をなす部分の高さ位置が一致した箇所からは、他方の部材の上面（積載面の一部）に沿って摺動する。また、他方の部材の上面（積載面の一部）に沿って一方の部材側へと摺動するシートの摺動方向先端は、最初は凹部をなす部分に案内されて、その案内位置よりも下方にある凸部の先端を越える位置に到達し、その後、凸部と凹部をなす部分の高さ位置が一致した箇所からは、一方の部材の上面（積載面の一部）に沿って摺動する。
【００２１】
つまり、シートの摺動方向先端部は、第一部材と第二部材との境界部分を第一部材側から第二部材側へ通過する場合、第二部材側から第一部材側へ通過する場合、いずれの場合においても、凸部をなす部材の先端や凹部をなす部分を有する部材の先端に引っ掛かることなく、スムーズに摺動する。したがって、第一部材から上述の境界部分を経て第二部材に至る範囲が積載面とされているにもかかわらず、境界部分にある段差や隙間にシートの摺動方向先端が引っ掛かるのを防止することができる。
【００２２】
ところで、本発明のシート搬送装置において、前記一方の部材は、搬送手段による搬送方向と同方向に延びる複数のリブを備え、当該リブの上端で前記積載面を形成するとともに、前記リブを前記他方の部材側に向かって延出することによって前記凸部を形成しているものであると好ましい。
【００２３】
このように構成されたシート搬送装置によれば、複数のリブの上端で積載面を形成しているので、積載面とシートとの間の接触面積を削減して両者間に作用する摩擦力を低減でき、しかも、リブを延出するという簡単な手法で所期の凸部を形成し、境界部分にある段差や隙間にシートの摺動方向先端が引っ掛かるのを防止することができる。
【００２４】
また、本発明のシート搬送装置において、前記シート積載部における前記シートの摺動方向及び前記シートの厚さ方向の双方に垂直な方向を幅方向として、前記凸部及び前記凹部は、前記搬送手段によって搬送可能な前記シートの最大幅に相当する範囲内において複数箇所に設けられているものであると好ましい。
【００２５】
このように構成されたシート搬送装置によれば、凸部及び凹部は、シートの最大幅に相当する範囲内の複数箇所でシートを案内するので、いずれかの箇所で案内されることとなる小さめのシートから、すべての箇所で案内されることとなる大きめのシートまで、様々なサイズのシートについて、境界部分にある段差や隙間にシートの摺動方向先端が引っ掛かるのを防止することができる。
【００２６】
また、本発明のシート搬送装置において、前記第一部材は、第一の回動位置と第二の回動位置との間で回動する構造とされていて、前記第一の回動位置へ回動させた際には、前記第二の回動位置へ回動させた状態よりも高さが低くなる一方、前記第二の回動位置へ回動させた際には、前記第二部材と隣り合う位置、かつ前記第二部材を挟んで前記導入口及び前記排出口とは反対側となる位置に配置されて、前記第一部材から当該第一部材と前記第二部材との境界部分を経て前記第二部材に至る範囲が前記積載面となるものであると好ましい。
【００２７】
このように構成されたシート搬送装置によれば、装置を使用しないときには、第一部材を第一の回動位置へと回動させることで、装置の高さを低減できる。また、回動可能な構造としたことで、第一部材と第二部材との間には段差や隙間ができる設計にせざるを得ない場合があるが、その場合でも、上述のような凸部及び凹部があれば、境界部分にある段差や隙間にシートの摺動方向先端が引っ掛かるのを防止することができる。
【００２８】
また、本発明のシート搬送装置において、前記凹部は、上下方向に貫通する部分を有する形状とされ、前記第一部材が前記第二の回動位置へと回動する際には、前記凸部が前記凹部の下方から前記凹部内へと進入する構造とされているものであると好ましい。
【００２９】
このように構成されたシート搬送装置によれば、第一部材を回動させれば、凸部が凹部の下方から凹部内へと進入するので、このような簡単な操作で凸部及び凹部を適正な位置関係に配置でき、境界部分にある段差や隙間にシートの摺動方向先端が引っ掛かるのを防止することができる。
【００３０】
また、本発明のシート搬送装置において、前記第一部材を前記第二の位置へ回動させた際、前記第一部材は、前記第二部材と当接することにより、前記第二の位置に位置決めされるものであると好ましい。
【００３１】
このように構成されたシート搬送装置によれば、第二部材を利用して第一部材を第二の位置に位置決めすることができるので、第二部材の他に専用のストッパーなどを設けなくても済み、装置構成の簡素化を図ることができる。
【００３２】
さらに、本発明の画像読取装置は、シートが積載される積載面を有するシート積載部と、導入口から排出口に至る搬送経路を形成しており、作動時には、前記シート積載部に積載されたシートを前記導入口から導入して前記搬送経路に沿って搬送するとともに、当該搬送経路に沿って搬送されたシートを前記排出口から前記シート積載部へと排出する搬送手段と、前記搬送手段によって搬送されるシートの画像を読み取る読取手段とを備え、前記シート積載部は、隣り合う位置に配置される第一部材及び第二部材を有し、前記第二部材を挟んで前記導入口及び前記排出口とは反対側となる位置に前記第一部材が配置されて、前記第一部材から当該第一部材と前記第二部材との境界部分を経て前記第二部材に至る範囲が前記積載面とされており、しかも、前記第一部材及び前記第二部材のうち、少なくとも一方の部材の前記積載面の端部は、他方の部材に向かって突出する凸部を有する形状とされるとともに、前記他方の部材の前記積載面の端部は、前記凸部が入り込む凹部を有する形状とされ、前記凸部の先端位置では、前記一方の部材の上面よりも上方となる位置に前記他方の部材の上面があって当該他方の部材の前記上面が前記積載面として利用されており、かつ、前記凹部をなす部分の先端位置では、前記他方の部材の上面よりも上方となる位置に前記一方の部材の上面があって当該一方の部材の前記上面が前記積載面として利用される構造とされていることを特徴とする。
【００３３】
このように構成された画像読取装置によれば、上述のシート搬送装置と同様の構成を備えているので、読取対象となるシートをシート積載部に積載して、シート積載部から供給されるシートの画像を読み取るとともに、画像の読み取りを終えたシートをシート積載部に排出することができる。また、その際、第一部材から上述の境界部分を経て第二部材に至る範囲が積載面とされているにもかかわらず、境界部分にある段差や隙間にシートの摺動方向先端が引っ掛かるのを防止することができる。
【図面の簡単な説明】
【００３４】
【図１】複合機を示す斜視図であり、（ａ）は読取ユニットの上部にある原稿搬送ユニットが閉じられた状態を示す斜視図、（ｂ）は同原稿搬送ユニットが開かれた状態を示す斜視図。
【図２】原稿搬送ユニットの内部構造を示す縦断面図。
【図３】原稿搬送ユニットを示す斜視図であり、（ａ）はシート積載部を構成する可動積載部が閉じられた状態を示す斜視図、（ｂ）は同可動積載部が開かれた状態を示す斜視図。
【図４】可動積載部に形成された凸部と固定積載部に形成された凹部との位置関係を示す縦断面図であり、（ａ）は可動積載部が閉じられた状態を示す縦断面図、（ｂ）は同可動積載部が開かれた状態を示す縦断面図。
【発明を実施するための形態】
【００３５】
次に、本発明の実施形態について一例を挙げて説明する。
［複合機の構造］
図１（ａ）及び同図（ｂ）に示すように、複合機１は、本体ユニット２と、本体ユニット２の上側に搭載された読取ユニット３と、読取ユニット３の上側に搭載された原稿搬送ユニット４（本発明でいうシート搬送装置の一例に相当。）を備えている。
【００３６】
本体ユニット２は、画像形成部、制御部、及び電源部等を内蔵しており、本体ユニット２、読取ユニット３、及び原稿搬送ユニット４に配設された各種機構は、本体ユニット２が備える制御部によって制御される。
【００３７】
読取ユニット３は、本体ユニット２及び読取ユニット３の後端付近において左右方向へと延びる軸線を回動中心として、本体ユニット２に対し回動可能な構造とされている。読取ユニット３を回動させて読取ユニット３の前端側を上方へ変位させると、本体ユニット２の上面の開口部が開放され、本体ユニット２に内蔵された各部（画像形成部、制御部、及び電源部等）のメンテナンス作業等を実施可能な状態になる。
【００３８】
原稿搬送ユニット４は、読取ユニット３及び原稿搬送ユニット４の後端付近において左右方向へと延びる軸線を回動中心として、読取ユニット３に対し回動可能な構造とされている。この回動に伴って、原稿搬送ユニット４は、閉位置（図１（ａ）参照。）及び開位置（図１（ｂ）参照。）へ変位する。
【００３９】
原稿搬送ユニット４を開位置へ変位させると、読取ユニット３の上面にある原稿載置面が露出する。また、原稿搬送ユニット４を閉位置へ変位させると、原稿搬送ユニット４は、原稿載置面を覆うカバーとして機能する。
【００４０】
本体ユニット２の前面上側には、利用者によって操作される操作パネル７が設けられている。また、本体ユニット２において、操作パネル７の下方には、印刷後の被記録媒体を排出する被記録媒体排出口８が形成され、更にその下方には、印刷前の被記録媒体が収納される給紙カセット９などが装着されている。
【００４１】
［読取ユニット及び原稿搬送ユニットの内部構造］
図２に示すように、読取ユニット３には、第一イメージセンサ２１（本発明でいう読取手段の一例に相当。）が設けられ、原稿搬送ユニット４には、第二イメージセンサ２２（本発明でいう読取手段の一例に相当。）が設けられている。本実施形態において、第一イメージセンサ２１及び第二イメージセンサ２２としては、双方とも密着イメージセンサ（Contact Image Sensor）が採用されている。
【００４２】
第一イメージセンサ２１は、図示しないモータによって駆動されて、読取ユニット３の内部を左右方向（副走査方向）へ往復移動する構造とされている。また、第二イメージセ
ンサ２２は、原稿搬送ユニット４内のフレームに固定されている。
【００４３】
また、読取ユニット３側には、第一イメージセンサ２１の往復移動経路の上方となる位置に、静止原稿用透明部２５及び搬送原稿用第一透明部２７が設けられている。また、原稿搬送ユニット４側には、第二イメージセンサ２２の下方となる位置に、搬送原稿用第二透明部２８が設けられている。
【００４４】
静止原稿用透明部２５及び搬送原稿用第一透明部２７は、双方とも読取ユニット３の上面をなす位置にあり、本実施形態においては、これら静止原稿用透明部２５及び搬送原稿用第一透明部２７が、単一のガラス板を利用して構成されている。また、搬送原稿用第二透明部２８は、本実施形態においては、静止原稿用透明部２５及び搬送原稿用第一透明部２７とは別のガラス板を利用して構成されている。
【００４５】
なお、静止原稿用透明部２５及び搬送原稿用第一透明部２７は、それぞれが別のガラス板を利用して構成されていてもよい。また、静止原稿用透明部２５、搬送原稿用第一透明部２７、及び搬送原稿用第二透明部２８の材質は、第一イメージセンサ２１及び第二イメージセンサ２２による原稿の読み取りが可能な透明な材質であれば、ガラス以外の材質であってもよい。
【００４６】
また、原稿搬送ユニット４側には、搬送原稿用第一透明部２７の上方となる位置に、第一原稿押さえ部３１が配設され、読取ユニット３側には、搬送原稿用第二透明部２８の下方となる位置に、第二原稿押さえ部３２が配設されている。
【００４７】
第一原稿押さえ部３１は、圧縮ばね（図示せず）によって下方へと付勢されており、これにより、第一原稿押さえ部３１は搬送原稿用第一透明部２７の上面側を軽く押圧する状態になっている。また、第二原稿押さえ部３２は、圧縮ばね（図示せず）によって上方へと付勢されており、これにより、第二原稿押さえ部３２は搬送原稿用第二透明部２８の下面側を軽く押圧する状態になっている。
【００４８】
また、原稿搬送ユニット４には、原稿を搬送するための搬送機構４０（本発明でいう搬送手段の一例に相当。）が設けられている。この搬送機構４０は、供給ローラ４１、分離ローラ４２、搬送ローラ４３、Ｕターン搬送ローラ４４などのローラ群を備え、これらのローラ群により、図２中に二点鎖線で示す搬送経路に沿って原稿を搬送可能に構成されている。
【００４９】
また、原稿搬送ユニット４には、搬送機構４０の一部（供給ローラ４１、分離ローラ４２、及び搬送ローラ４３）を上側から覆うカバー部４７が設けられている。搬送機構４０へ原稿を導入するための原稿導入口４０Ａは、カバー部４７の下方となる位置にあり、搬送機構４０から原稿を排出するための原稿排出口４０Ｂは、カバー部４７の上方となる位置にある。
【００５０】
［シート積載部の構造］
原稿搬送ユニット４の上面には、図３（ａ）及び同図（ｂ）に示すように、シート積載部５０が設けられている。このシート積載部５０は、可動積載部５１（本発明でいう第一部材の一例に相当。）及び固定積載部５２（本発明でいう第二部材の一例に相当。）によって構成される。
【００５１】
可動積載部５１は、前後方向へと延びる軸線を回動中心として、原稿搬送ユニット４に対し回動可能な構造とされている。この回動に伴って、可動積載部５１は、閉位置（図３（ａ）参照。）及び開位置（図３（ｂ）参照。）へ変位する。
【００５２】
可動積載部５１を閉位置へ変位させた際には、可動積載部５１は、上面側が略水平な状態となって、原稿搬送ユニット４の上面を覆う外装カバーとして機能する。一方、可動積載部５１を開位置へ変位させた際には、可動積載部５１は、閉位置において下面側となっていた面が斜め上方に向けられて傾斜面をなす配置状態とされる。
【００５３】
このような配置状態とされた際に、閉位置にある可動積載部５１によって覆われていた箇所には固定積載部５２が露出し、これら隣り合う位置に配置された可動積載部５１及び固定積載部５２によってシート積載部５０が構成される。この状態において、可動積載部５１は、固定積載部５２を挟んで原稿導入口４０Ａ及び原稿排出口４０Ｂとは反対側となる位置に配置され、可動積載部５１から可動積載部５１と固定積載部５２との境界部分を経て固定積載部５２に至る範囲がシートの積載面として利用される。
【００５４】
固定積載部５２には、一対のサイドガイド５３が設けられている。このサイドガイド５３は、双方とも前後方向へスライド可能で、しかも、一方に連動して他方が一方とは逆方向へスライドする仕組みになっている。そのため、一対のサイドガイド５３の間隔を変更する際には、一方を操作するだけで、双方を互いに接近又は離間する方向へスライドさせることができる。
【００５５】
また、各サイドガイド５３には、各サイドガイド５３の上端から互いに対向する方向へ板状体を略水平に延出させてなる仕切り板５４が設けられている。搬送対象となる原稿は、この仕切り板５４の下方にセットされ、この状態でサイドガイド５３を原稿における搬送方向に平行な端面に当接させることにより、原稿の搬送方向を規制する。また、後述する搬送経路に沿って原稿が搬送された場合、搬送済みの原稿は、仕切り板５４の上方に排出され、その後は、固定積載部５２の上面側を経て可動積載部５１の上面側に至る位置へと送出されることとなる。
【００５６】
また、可動積載部５１は、搬送機構４０による搬送方向と同方向に延びる複数（本実施形態では１５本）のリブ５５を備え、これらのリブ５５の上端で積載面を形成している。このようなリブ５５を設けることにより、原稿と積載面との間に空隙を設けて原稿と積載面との接触面積を低減し、原稿に作用する摩擦抵抗を低減することができる。
【００５７】
さらに、本実施形態の場合、可動積載部５１の積載面の回動軸線側端部は、固定積載部５２に向かって突出する凸部６１を有する形状とされ、固定積載部５２の積載面の端部は、凸部６１が入り込む凹部６２を有する形状とされている。凸部６１は、上述した複数のリブ５５のうち、いくつか（本実施形態では７つ）のリブ５５を固定積載部５２側に向かって延出することによって形成されたものである。
【００５８】
ただし、これらの凸部６１と凹部６２は、本実施形態とは逆に、固定積載部５２の積載面の端部に凸部６１が形成されていて、この凸部６１の入り込む凹部６２が可動積載部５１の積載面の端部に形成されていてもよい。つまり、可動積載部５１及び固定積載部５２のうち、少なくとも一方の部材の上面（積載面の一部）の端部に、他方の部材に向かって突出する凸部６１が形成され、他方の部材の上面（積載面の一部）の端部に、凸部６１の入り込む凹部６２が形成されていればよい。
【００５９】
なお、本実施形態においては、シート積載部５０における原稿の摺動方向及び原稿の厚さ方向の双方に垂直な方向を幅方向として、凸部６１及び凹部６２は、搬送機構４０によって搬送可能な原稿の最大幅に相当する範囲内において複数箇所（具体的には、本実施形態の場合は７箇所）に設けられている。これら７組の凸部６１及び凹部６２のうち、図３（ｂ）では、１組の凸部６１及び凹部６２だけを拡大して図示してあるが、他の６組の凸
部６１及び凹部６２も、ほぼ同様の形状とされている。
【００６０】
これらの凸部６１及び凹部６２は、図４（ａ）及び同図（ｂ）に示すように、可動積載部５１が閉位置にあるときには（図４（ａ）参照。）、互いに離間した位置へと移動した状態にある。一方、可動積載部５１を開位置に変位させたときには（図４（ｂ）参照。）、上下方向に貫通する部分を有する形状とされた凹部６２の下方から、上方へと変位する凸部６１が入り込んで、凸部６１と凹部６２が噛み合う状態になる。
【００６１】
このとき、可動積載部５１は、図４（ｂ）中に示す当接箇所６４で固定積載部５２と当接することにより、開位置に位置決めされることとなる。また、可動積載部５１を開位置へ変位させた状態において、当接箇所６４付近の構造は、図４（ｂ）に拡大して示すように、凸部６１の先端６１Ａでは、可動積載部５１の上面５１Ａよりも上方となる位置に固定積載部５２の上面５２Ａがあり、かつ、凹部６２をなす部分の先端６２Ａでは、固定積載部５２の上面５２Ｂよりも上方となる位置に可動積載部５１の上面５１Ｂがある構造とされている。
【００６２】
このような凸部６１及び凹部６２を設けると、可動積載部５１と固定積載部５２との境界部分において、原稿が引っ掛かるのを防止ないし抑制することができる。より具体的には、例えば、原稿導入口４０Ａから導入される原稿を積載面に積載する場合には、可動積載部５１側の積載面から固定積載部５２側の積載面へ原稿を摺動させることがある。
【００６３】
この場合、可動積載部５１側の積載面に沿って固定積載部５２側へと摺動する原稿の摺動方向先端は、最初は凸部６１（可動積載部５１の上面５１Ｂ）に案内されて、その案内位置よりも下方にある凹部６２をなす部分の先端６２Ａを越える位置に到達する。そして、その後、凸部６１と凹部６２をなす部分の高さ位置が一致した箇所６６からは、固定積載部５２の上面５２Ａに沿って摺動し、これにより、原稿が固定積載部５２の先端に引っ掛かることなく、固定積載部５２の上面側へと案内される。
【００６４】
一方、搬送機構４０によって搬送された原稿が原稿排出口４０Ｂから排出された場合には、固定積載部５２側の積載面から可動積載部５１側の積載面へ原稿が摺動することがある。この場合、固定積載部５２の積載面に沿って可動積載部５１側へと摺動する原稿の摺動方向先端は、最初は凹部６２をなす部分（固定積載部５２の上面５２Ａ）に案内されて、その案内位置よりも下方にある凸部６１の先端を越える位置に到達する。そして、その後、凸部６１と凹部６２をなす部分の高さ位置が一致した箇所６６からは、可動積載部５１の上面５１Ｂ面に沿って摺動する。
【００６５】
つまり、本実施形態の場合、可動積載部５１の上面５１Ｂから境界部分となる箇所６６を経て固定積載部５２の上面５２Ａに至る範囲が、原稿の積載面として利用されている。これにより、原稿の摺動方向先端部は、可動積載部５１と固定積載部５２との境界部分を可動積載部５１側から固定積載部５２側へ通過する場合、固定積載部５２側から可動積載部５１側へ通過する場合、いずれの場合においても、凸部６１をなす部材の先端６１Ａや凹部６２をなす部分を有する部材の先端６２Ａに引っ掛かることなく、スムーズに摺動する。
【００６６】
［効果］
以上説明したとおり、この複合機１においては、上述のような凸部６１及び凹部６２を設けてあるので、可動積載部５１から可動積載部５１と固定積載部５２との境界部分を経て固定積載部５２に至る範囲が原稿の積載面とされているにもかかわらず、境界部分にある段差や隙間に原稿の摺動方向先端が引っ掛かるのを防止することができる。
【００６７】
また、この複合機１においては、複数のリブ５５の上端で積載面を形成しているので、積載面と原稿との間の接触面積を削減して両者間に作用する摩擦力を低減でき、しかも、リブ５５を延出するという簡単な手法で所期の凸部６１を形成し、可動積載部５１と固定積載部５２との境界部分にある段差や隙間に原稿の摺動方向先端が引っ掛かるのを防止することができる。
【００６８】
また、上述の凸部６１及び凹部６２は、原稿の最大幅に相当する範囲内の複数箇所で原稿を案内するので、いずれかの箇所で案内されることとなる小さめの原稿から、すべての箇所で案内されることとなる大きめの原稿まで、様々なサイズの原稿について、境界部分にある段差や隙間に原稿の摺動方向先端が引っ掛かるのを防止することができる。
【００６９】
さらに、この複合機１によれば、複合機１を使用しないときには、可動積載部５１を第一の回動位置へと回動させることで、装置の高さを低減できる。また、可動積載部５１を回動可能な構造としたことで、可動積載部５１と固定積載部５２との間には相応の段差や隙間ができるが、その場合でも、上述のような凸部６１及び凹部６２があれば、境界部分にある段差や隙間に原稿の摺動方向先端が引っ掛かるのを防止することができる。
【００７０】
また、この複合機１においては、可動積載部５１を回動させれば、凸部６１が凹部６２の下方から凹部６２内へと進入するので、このような簡単な操作で凸部６１及び凹部６２を適正な位置関係に配置でき、境界部分にある段差や隙間に原稿の摺動方向先端が引っ掛かるのを防止することができる。
【００７１】
また、この複合機１においては、可動積載部５１を開位置へ回動させた際、可動積載部５１は固定積載部５２と当接することにより開位置に位置決めされるので、固定積載部５２の他に専用のストッパーなどを設けなくても済み、装置構成の簡素化を図ることができる。
【００７２】
［その他の実施形態］
以上、本発明の実施形態について説明したが、本発明は上記の具体的な一実施形態に限定されず、この他にも種々の形態で実施することができる。
【００７３】
例えば、上記実施形態では、シート搬送装置の一例として、画像読取装置に組み込まれたシート搬送装置を例示したが、本発明のシート搬送装置は、シートに対して画像を形成（記録）する画像形成装置において採用することもできる。例えば、画像形成装置が備える手差し給紙機構において、本発明のシート搬送装置を採用すれば、給排紙兼用トレイに記録用紙を載置して、シート搬送装置による記録用紙の搬送を行い、その後、画像が記録された記録用紙を給排紙兼用トレイに排出する、という構成としたときに、給紙時及び排紙時の双方において、記録用紙の搬送方向先端が可動積載部５１と固定積載部５２との境界部分に引っ掛かるのを防止ないし抑制できる。
【００７４】
また、上記実施形態では、本発明の画像読取装置の一例として、複合機として構成された画像読取装置を例示したが、複合機として構成されているか否かは任意であり、単機能の画像読取装置や画像形成装置において、本発明のシート搬送装置を採用することができる。
【００７５】
また、上記実施形態では、可動積載部５１が回動可能な構造となっていたが、回動可能な構造を採用するか否かは任意である。回動可能な構造以外の構造としては、例えば、スライド式のものや着脱式のものなどを考えることができる。これらの場合でも、上述のような凸部６１及び凹部６２相当の構造を採用することで、可動積載部５１相当物と固定積載部５２相当物との境界部分に生じる段差や隙間にシートの先端が引っ掛かるのを防止な
いし抑制できる。
【００７６】
さらに、上記実施形態では、固定積載部５２が装置に固定されていたが、固定積載部５２相当物が可動式の構造とされていてもよい。すなわち、二つの部材間にある境界部分に上述のような凸部６１及び凹部６２相当の構造が設けてあれば、その境界部分における引っ掛かりを防止できるのであり、その際、一方の部材が装置に固定されているかどうかは任意である。
【００７７】
この他、凸部６１及び凹部６２の数、凸部６１及び凹部６２自体の寸法、互いに隣にある凸部６１間の間隔や凹部６２間の間隔なども、シートの引っ掛かりを防止ないし抑制できる範囲内で任意に設定すればよい。
【符号の説明】
【００７８】
１・・・複合機、２・・・本体ユニット、３・・・読取ユニット、４・・・原稿搬送ユニット、７・・・操作パネル、８・・・被記録媒体排出口、９・・・給紙カセット、２１・・・第一イメージセンサ、２２・・・第二イメージセンサ、２５・・・静止原稿用透明部、２７・・・搬送原稿用第一透明部、２８・・・搬送原稿用第二透明部、３１・・・第一原稿押さえ部、３２・・・第二原稿押さえ部、４０・・・搬送機構、４０Ａ・・・原稿導入口、４０Ｂ・・・原稿排出口、４１・・・供給ローラ、４２・・・分離ローラ、４３・・・搬送ローラ、４４・・・Ｕターン搬送ローラ、４７・・・カバー部、５０・・・シート積載部、５１・・・可動積載部、５２・・・固定積載部、５３・・・サイドガイド、５４・・・仕切り板、５５・・・リブ、６１・・・凸部、６２・・・凹部。
【図１】
0005817519.tif 000002
【図２】
0005817519.tif 000003
【図３】
0005817519.tif 000004
【図４】
0005817519.tif 000005